(57)【要約】【課題】本発明はブラスチックフレームが背面板と一体に設けられ、離脱し難いバックライト装置を提供することを目的とする。【解決手段】背面板と、ブラスチックフレームと、発光素子とを備える本発明のバックライト装置において、前記ブラスチックフレームは前記背面板と一体に設けられ、前記背面板およびブラスチックフレームの結合体は一つの収容空間を形成し、前記収容空間に前記発光素子が配置される。【選択図】図２
2007066893.tif 000002
【特許請求の範囲】
【請求項１】
背面板と、ブラスチックフレームと、発光素子とを備えるバックライト装置において、
前記ブラスチックフレームは前記背面板と一体に設けられ、前記背面板およびブラスチックフレームの結合体は一つの収容空間を形成し、該収容空間に前記発光素子が配置されることを特徴とするバックライト装置。
【請求項２】
前記ブラスチックフレームは射出方式によって前記背面板に形成されることを特徴とする請求項１に記載のバックライト装置。
【請求項３】
前記背面板は一つの内底面を備え、前記内底面に反射層が配置されることを特徴とする請求項１に記載のバックライト装置。
【請求項４】
前記背面板は、さらに内壁を備え、前記ブラスチックフレームは前記背面板の内壁を被覆することを特徴とする請求項１に記載のバックライト装置。  
【発明の詳細な説明】
【技術分野】
【０００１】
本発明は、バックライト装置に関するものである。
【背景技術】
【０００２】
液晶表示装置は軽量・薄型・低消費電力などの特性を有し、ノートパソコンの分野において利用されているだけではなく、モニター、テレビ及びデスクトップ型パソコンの分野におけるシェアがますます大きくなっている。周知のごとく、液晶パネルは、それ自体に発光機能を持たないので、見易さの点からバックライト装置を用いて照明する必要がある。
【０００３】
図１は、従来の一種のバックライト装置の構成を示す図である。バックライト装置１は、金属背面板１１と、側壁１２１を含むブラスチックフレーム１２と、反射装置１３と、導光板１４と、拡散シート１５及び光源１６とを備える。前記金属背面板１１は側辺１１１及び内底面１１３を備える。前記反射装置１３、導光板１４及び拡散シート１５は内底面１１３の上方に順次に配置されている。前記光源１６は、導光板１４の一端に隣接するように配置される。前記ブラスチックフレーム１２は、その側壁１２１から外部に向けて突出した複数の凸部１２２を備える。前記金属背面板１１の側辺１１１には前記複数の凸部１２２と対応する複数の収容孔１１２が備えられている。前記金属背面板１１とブラスチックフレーム１２とが組み立てられる時に、前記ブラスチックフレーム１２の側壁１２１から外部に向けて突出した複数の凸部１２２が前記金属背面板１１の側辺１１１の収容孔１１２に対応して収容される。
【０００４】
前記バックライト装置１において、光源１６からの光は該導光板１４に入射し、その一部分の光は前記導光板１４の光出射面から射出するが、他の光は導光板１４の底面から射出して、反射装置１３に到着し、さらに、反射装置１３によって反射されて、導光板１４の光出射面から射出される。
【０００５】
前記凸部１２２と前記収容孔１１２との係合によって一体に組み立てられた前記バックライト装置１の金属背面板１１及びブラスチックフレーム１２には、離脱し易いという課題がある。
【発明の開示】
【発明が解決しようとする課題】
【０００６】
本発明の目的は、上述のこうした課題を解決し、ブラスチックフレームが背面板と一体に設けられ、離脱し難いバックライト装置を提供することである。
【課題を解決するための手段】
【０００７】
前記目的を達成するため、本発明に係るバックライト装置は、背面板と、ブラスチックフレームと、発光素子とを備え、前記ブラスチックフレームが前記背面板と一体に設けられ、前記背面板およびブラスチックフレームの結合体は一つの収容空間を形成し、前記収容空間に前記発光素子が配置される。
【発明の効果】
【０００８】
本発明のバックライト装置において、ブラスチックフレームと金属背面板とが一体に形成され、ブラスチックフレームが金属背面板と強固に組み立てられているので、ブラスチックフレームで形成された凸部と金属背面板で形成された収容孔とを嵌合させることによって組み立てられた従来の技術のバックライト装置の金属背面板とブラスチックフレームのように脱離し易いことを、防止することができる。
【発明を実施するための最良の形態】
【０００９】
図２及び図３を参照して、本実施形態のバックライト装置の構成を説明する。図２は、本実施形態のバックライト装置２の構成を示す分解図であり、図３は図２の線ＩＩＩ−ＩＩＩに沿った断面図である。バックライト装置２は、内底面と内壁２１１とを備える金属背面板２１と、ブラスチックフレーム２２と、前記金属背面板２１の前記内底面に配置された反射層２３と、導光板２４と、前記導光板２４の上方に配置された拡散シート２５と、導光板２４の一端に隣接するように配置された光源２６とを備える。前記ブラスチックフレーム２２が前記金属背面板２１と一体に結合し、且つ前記ブラスチックフレーム２２が前記金属背面板２１の内壁２１１を被覆する。前記導光板２４が前記金属背面板２１の上方に配置される。前記金属背面板２１にはアルミニウム背面板が採用される。前記ブラスチックフレーム２２はポリカーボネート材料から形成される。前記反射層２３は、例えば銀などの高反射率の金属から形成される。
【００１０】
以下、図２から図４を参照して、前記バックライト装置２の製造工程について詳細に説明する。
【００１１】
製造工程１で、一つの金属背面板２１を準備する。前記金属背面板２１は、内底面と内壁２１１を備える。
【００１２】
製造工程２で、前記内底面の上に反射層２３を形成する。前記反射層２３を形成する工程は、メッキ法又はスパッタ法により行われる。
【００１３】
製造工程３で、ブラスチックフレーム２２を作る材料と金型とを準備し、前記金属背面板２１を該金型内に置き、熔融したブラスチックフレーム２２を作る材料を、前記金属背面板２１が置かれている前記金型に導入することによって、前記ブラスチックフレーム２２が前記金属背面板２１と一体に形成され、且つ前記ブラスチックフレーム２２が前記金属背面板２１の内壁２１１を被覆する。前記金属背面板２１およびブラスチックフレーム２２の結合体は一つの収容空間２８を含んでいる。
【００１４】
製造工程４で、導光板２４を前記収容空間２８に収容する。
【００１５】
製造工程５で、光源２６を準備し、前記光源２６を前記導光板２４の一端に隣接するように配置する。
【００１６】
製造工程６で、拡散シート２５を準備し、該拡散シート２５を前記導光板２４の上方に配置する。
【００１７】
本発明のバックライト装置２において、ブラスチックフレーム２２と金属背面板２１とが金型内で一体に形成され、且つ前記ブラスチックフレーム２２が前記金属背面板２１の内壁２１１を被覆することによって、ブラスチックフレーム２２が金属背面板２１と強固に組み立てられ、脱離し易いことを防止し、即ちバックライト装置２全体の剛性を増加させることができる。
【図面の簡単な説明】
【００１８】
【図１】従来のバックライト装置の構成を示す図である。
【図２】本発明のバックライト装置の構成を示す図である。
【図３】図２に示すバックライト装置のＩＩＩ−ＩＩＩ線に沿った断面図である
【図４】本発明のバックライト装置の組み立てを示す図である。
【符号の説明】
【００１９】
２                    バックライト装置
２１                  金属背面板
２２                  ブラスチックフレーム
２３                  反射層
２４                  導光板
２５                  拡散シート
２６                  光源
２８                  収容空間
２１１                内壁
【図１】
2007066893.tif 000003
【図２】
2007066893.tif 000004
【図３】
2007066893.tif 000005
【図４】
2007066893.tif 000006